(57)【特許請求の範囲】
【請求項１】
交流電源ライン間に接続されるコンデンサと、
上記交流電源ラインに対して並列に設けられるトランスの一次側と二次側とを絶縁するフォトカプラと、
上記トランスの一次巻線と上記交流電源ラインとの間に設けられ、上記フォトカプラの動作状態に応じて開閉するスイッチング素子と、
上記トランスの二次巻線を介して蓄積される電圧レベルが閾値を越える場合には上記フォトカプラを介して上記スイッチング素子を開状態にさせ、上記閾値を下回る場合には上記フォトカプラを介して上記スイッチング素子を閉状態にさせる２次側回路と、
上記トランスの一次側に設けられ、上記交流電源ラインに対する交流電圧の供給が遮断された場合、上記フォトカプラの動作状態とは無関係に上記スイッチング素子を閉状態にさせる制御回路と
を有する電源回路。
【請求項２】
上記トランスの二次巻線を介して蓄積される電圧レベルは、リモートコントローラからの信号を受光する受光部に対する電圧のレベルである
請求項１に記載の電源回路。
【発明の詳細な説明】
【０００１】
【発明の属する技術分野】
本発明は電源回路に関し、交流電源ライン間に接続されたコンデンサに蓄えられた電荷を放電するようになされた電源回路に適用して好適なものである。
【０００２】
【従来の技術】
従来、電気機器の電源回路には、通常アクロス・ザ・ライン・コンデンサ（以下、これをＸコンデンサと呼ぶ）と呼ばれる不要輻射を回避するコンデンサがＡＣ（Alternating Current:交流）両端間に設けられている。
【０００３】
このＸコンデンサにおいては、電気機器のプラグが商用電源から引き抜かれたとき、引き抜かれる直前に蓄えられた電圧を放電させるための放電抵抗が並列に設けられている。
【０００４】
【発明が解決しようとする課題】
ところがかかる放電用抵抗は、電気機器のプラグが商用電源に挿入されているときに供給される交流電圧により常時電力を消費してしまうため、電源回路全体としては、省エネルギーを十分に計り得ないという問題があった。
【０００５】
かかる問題点を解決するための一つの方法として、商用電源に対して並列に接続したＸコンデンサ及び放電抵抗と、当該放電抵抗に対して直列に接続され、放電抵抗への導通状態又は非導通状態にスイッチングするフォトＭＯＳリレーと、フォトＭＯＳリレーのオン−オフ動作を制御する制御部とを設け、ＡＣ電圧が供給されていないときのみ制御部がスイッチング部をオン動作（導通状態）させて放電ループを構成するようになされた電源回路が提案されている。
【０００６】
しかしながらこの場合においても、フォトＭＯＳリレーは、消費電力が大きく消費されることにより、電源回路全体としての省エネルギーを計るには未だ不十分であった。
【０００７】
本発明は以上の点を考慮してなされたもので、一段と省エネルギーを計ることができる電源回路を提案しようとするものである。
【０００８】
【課題を解決するための手段】
かかる課題を解決するため本発明は、電源回路であって、交流電源ライン間に接続されるコンデンサと、当該交流電源ラインに対して並列に設けられるトランスの一次側と二次側とを絶縁するフォトカプラと、トランスの一次巻線と交流電源ラインとの間に設けられ、フォトカプラの動作状態に応じて開閉するスイッチング素子と、トランスの二次巻線を介して蓄積される電圧レベルが閾値を越える場合にはフォトカプラを介してスイッチング素子を開状態にさせ、閾値を下回る場合にはフォトカプラを介してスイッチング素子を閉状態にさせる２次側回路と、トランスの一次側に設けられ、交流電源ラインに対する交流電圧の供給が遮断された場合、フォトカプラの動作状態とは無関係にスイッチング素子を閉状態にさせる制御回路とを有する。
この電源回路では、交流電源ラインに対する交流電圧の供給が遮断された場合、制御回路によってトランスの一次巻線が放電抵抗とされ、該一次巻線を介して、交流電源ライン間に接続されるコンデンサの蓄積電荷が放電される。
【０００９】
（１）第１の実施の形態
図１において、１００はリモートコントローラによるサブスイッチを有する電機機器内の電源回路を示し、ユーザが電機機器のＡＣプラグ（図示せず）を商用電源（図示せず）に差し込むと、商用電源から供給される交流電圧は、入力端１及び２を介して電源回路１００内に供給され、出力端３及び４を介してリモートコントローラによりサブスイッチを動作させるための回路部に出力されるようになされている。
【００１０】
この場合、商用電源から入力端１にプラス電圧が供給されると共に、入力端２にマイナス電圧が与えられると、このとき制御回路５０には、入力端１、コンデンサＣ１、抵抗Ｒ１、ダイオードＤ１、コンデンサＣ４、電界効果型トランジスタ（以下、これをＦＥＴ:Field-Effect Transistorと呼ぶ) ６のソース、ＦＥＴ６のドレイン及び入力端２を順次介して電流が流れるとともに、入力端１、コンデンサＣ１、抵抗Ｒ１、ダイオードＤ２、コンデンサＣ３、ＦＥＴ６のソース、ＦＥＴ６のドレイン及び入力端２を順次介して電流が流れる。
【００１１】
従ってコンデンサＣ１、Ｃ３及びＣ４には、接続点７、８及び９側をそれぞれプラスとなるように電荷が充電され、このとき与えられるコンデンサＣ３の電圧は、分圧抵抗Ｒ３及びＲ４によって分圧されてトランジスタＱ１のベースに供給される。これによりトランジスタＱ１はオン動作する。
【００１２】
この場合制御回路５０には、ダイオードＤ１、抵抗Ｒ２、トランジスタＱ１のコレクタ、トランジスタＱ１のエミッタ及びＦＥＴ６のソースを順次介したルート、またダイオードＤ２、抵抗Ｒ３、トランジスタＱ１のベース、トランジスタＱ１のエミッタ及びＦＥＴ６のソースを順次介したルート、さらにはダイオードＤ２、抵抗Ｒ３、抵抗４及びＦＥＴ６のソースを順次介したルートにも電流が流れる。
【００１３】
また商用電源（図示せず）から入力端１及び２それぞれに供給される電圧がゼロになるまでの間（図２ｔ２〜ｔ３）、制御回路５０には、入力端１、商用電源（図示せず）、入力端２、コンデンサＣ２、ダイオードＤ３、抵抗Ｒ１及びコンデンサＣ１を順次介してコンデンサＣ１に充電された電荷が放電する。
【００１４】
さらに入力端１及び２の電圧がゼロの状態から入力端１にマイナス電圧が供給されると共に、入力端２にプラス電圧が供給される（図２ｔ３〜ｔ４）と、このとき制御回路５０には、入力端１、商用電源（図示せず）、入力端２、コンデンサＣ２、ダイオードＤ３、抵抗Ｒ１及びコンデンサＣ１を順次介して流れる。従ってコンデンサＣ１及びＣ２には、接続点１０及び１１側をプラスとなるように電荷がそれぞれ充電される。
【００１５】
さらにまた商用電源（図示せず）から入力端１及び２それぞれに供給される電圧がゼロになるまでの間（図２ｔ４〜ｔ５）、制御回路５０には、入力端２、商用電源（図示せず）、入力端１、コンデンサＣ１、抵抗Ｒ１、ダイオードＤ１、コンデンサＣ４及びコンデンサＣ２を順次介したルート、また入力端２、商用電源（図示せず）、入力端１、コンデンサＣ１、抵抗Ｒ１、ダイオードＤ２、コンデンサＣ３及びコンデンサＣ２を順次介したルートにコンデンサＣ１及びＣ２にそれぞれ充電された電流が放電する。
【００１６】
従ってコンデンサＣ３及びＣ４には、接続点８及び９側をプラスとした電荷がそれぞれ充電され、このとき与えられたコンデンサＣ３の電圧は、分圧抵抗Ｒ３及びＲ４によって分圧されてトランジスタＱ１のベースに供給される。ここで、コンデンサＣ３、抵抗Ｒ３及び抵抗Ｒ４の時定数において、商用電源（図示せず）から交流電圧が供給されているときには、当該交流電圧によってトランジスタＱ１を常時オン状態にし得るようになされていることにより、トランジスタＱ１はオン動作を維持する。
【００１７】
また制御回路５０において、コンデンサＣ４に電荷が充電され、このときコンデンサＣ４に与えられる電圧は、抵抗Ｒ２を介してＦＥＴ５及び６のゲート−ソース間に供給され、これによりＦＥＴ５及び６のゲート−ソース電圧をトランジスタＱ１のオン動作時と同じ電圧に保つようになされており、従ってＦＥＴ５及び６はオフ状態のままとなる。
【００１８】
このように商用電源（図示せず）から交流電圧が供給される（図２ｔ１〜ｔｎ）と、制御回路５０においては、トランジスタＱ１がオン状態、さらにＦＥＴ５及び６をオフ状態に維持するように制御しており、これにより電源回路１００においては、入力端１及び２を介して供給される交流電圧が商用電源（図示せず）に対して並列に接続されているアクロス・ザ・ライン・コンデンサ（以下、これをＸコンデンサＣ５と呼ぶ）に直接加えられ、当該ＸコンデンサＣ５により不要輻射が吸収される。
【００１９】
このようにして商用電源から供給される交流電圧は、入力端１及び２を介して電源回路１００内に供給され、出力端３及び４を介してリモートコントローラによりサブスイッチを動作させるための回路部に出力される。
【００２０】
因みに抵抗Ｒ１においては、商用電源（図示せず）から供給される交流電圧に高電圧スパイクノイズ等が含まれていた場合、当該高電圧スパイクノイズ等がコンデンサＣ１を介して電源回路１００内の各素子を破壊しないために設けられた制限抵抗であり、電源回路１００内の動作に影響しないようになされている。
【００２１】
ここで、ユーザが電機機器のＡＣプラグ（図示せず）を商用電源（図示せず）から引き抜くと、ＸコンデンサＣ５には当該ＡＣプラグが引き抜かれる直前に蓄えられた電荷が残されており、電源回路１００は、この電荷をすみやかに放電させるようになされている。
【００２２】
この場合、制御回路５０において、コンデンサＣ３、抵抗Ｒ３及びＲ４の時定数は、コンデンサＣ４及び抵抗Ｒ２の時定数よりも小さくなるようになされており、従ってコンデンサＣ３に充電された電荷は、コンデンサＣ４に充電された電荷よりも早く放電し得るようになされている。
【００２３】
従って、ＡＣプラグ（図示せず）が商用電源（図示せず）から引き抜かれた場合の制御回路５０においては、コンデンサＣ３に充電された電荷が抵抗Ｒ３を介したトランジスタＱ１のベース電流、及び抵抗Ｒ３及び抵抗Ｒ４を介して放電することにより、トランジスタＱ１がオフ状態となった場合においても、コンデンサＣ４に充電された電荷が残されている状態となる。
【００２４】
従って、コンデンサＣ４に残された電荷により、このときコンデンサＣ４に与えられえる電圧（コンデンサ電圧）は、トランジスタＱ１がオフ状態であることにより、抵抗Ｒ２を介してＦＥＴ５及び６それぞれのゲートに供給されることになる。これによりＦＥＴ５及び６は、オン動作する。
【００２５】
これにより電源回路１００は、コンデンサＣ５に蓄えられた電荷を放電抵抗Ｒ５を介して放電する放電経路を構成する。従って電源回路１００における入力端１と入力端２との間の電位差は無くなり、これにより電源回路１００は、ユーザが例えばＡＣプラグ（図示せず）に触れることによる感電を回避し得る。
【００２６】
因みにコンデンサＣ５における電圧極性においては、正負どちらでも動作するようになされている。またＡＣプラグ（図示せず）が商用電源（図示せず）から引き抜かれた場合の電源回路１００において、コンデンサ電圧においては、コンデンサＣ５に蓄えられた電荷が放電抵抗Ｒ５により全て放電するまでの間、ＦＥＴ５及び６をオン動作させ得るようになされている。
【００２７】
このように電源回路１００においては、交流電圧が供給されないときのみ、ＦＥＴ５及び６をオン動作するように制御して放電経路を構成し、放電抵抗Ｒ５によりＸコンデンサＣ５に蓄えられた電荷を放電する。これにより、電源回路１００においては、交流電圧が供給されているときの放電抵抗Ｒ５による消費電力を低減することができる。
【００２８】
さらに電源回路１００においては、放電経路を開閉するスイッチング素子としてＦＥＴを用いたことにより、当該放電経路を開閉するスイッチング動作させる電力を極めて小さくすることができる。
【００２９】
かくして電源回路１００全体の消費電力としては、一段と省エネルギーを計ることができる。
【００３０】
以上の構成において、制御回路５０は、交流電圧が供給されると、コンデンサＣ１及びＣ２の充放電電流により、コンデンサＣ３及びＣ４に接続点８及び９側をプラスとなるように電荷をそれぞれ充電するようになされており、コンデンサＣ３に充電されることにより与えられるコンデンサＣ３の電圧は、分圧抵抗Ｒ３及びＲ４によって分圧されてトランジスタＱ１のベースに供給される。これによりトランジスタＱ１はオン動作する。
【００３１】
さらに制御回路５０は、商用電源（図示せず）から交流電圧が供給されているときには、当該交流電圧によってトランジスタＱ１を常時オン状態にし得るようになされていることにより、トランジスタＱ１のオン動作を維持させる。
【００３２】
これに対して制御回路５０は、交流電圧が供給されない場合、コンデンサＣ３に充電された電荷をコンデンサＣ４に充電された電荷よりも早く放電し得るようになされており、これによりコンデンサＣ３に充電された電荷が全て放電してトランジスタＱ１がオフ状態となった場合においてもコンデンサＣ４に充電された電荷を残す。
【００３３】
従って、コンデンサＣ４に残された電荷（電圧）は、トランジスタＱ１がオフ状態であることにより、ＦＥＴ５及び６それぞれのゲートに供給されることになる。これによりＦＥＴ５及び６は、オン動作し、このときコンデンサＣ５に蓄えられた電圧は、放電抵抗Ｒ５、ＦＥＴ５及び６を順次介して放電する。
【００３４】
このように電源回路１００においては、ユーザが電機機器のＡＣプラグ（図示せず）を商用電源（図示せず）から引き抜いたときのみ、ＦＥＴ５及び６をオン動作させることにより放電経路を構成し、放電抵抗Ｒ５に電流を流す。これにより、電源回路１００においては、交流電圧が供給されているときの放電抵抗Ｒ５による消費電力を低減することができる。
【００３５】
さらに電源回路１００においては、放電経路を開閉するスイッチング素子としてＦＥＴ５及び６を用いたことにより、当該放電経路を開閉するスイッチング動作させる電力を極めて小さくすることができる。
【００３６】
以上の構成によれば、放電経路を開閉するスイッチング素子としてのＦＥＴ５及び６と放電抵抗Ｒ５とを設け、ＡＣプラグ（図示せず）を商用電源（図示せず）から引き抜いた場合のみ、制御回路５０がＦＥＴ５及び６をオン動作させるように制御して放電経路を構成させるようにしたことにより、電源回路１００の消費電力を低減させることができ、電機機器全体としては省エネルギーを計り得る。特にＡＣプラグ（図示せず）を商用電源に差し込んだ状態である期間が長い電機機器（リモートコントローラによりサブスイッチを動作させるための回路部を有する電機機器）に対しては電機機器全体としての省エネルギーを計り得る効果が大きい。
【００３７】
また、放電経路を開閉するスイッチング素子としてＦＥＴ５及び６としたことにより、スイッチングする動作電力を極めて小さくすることができ、かくして電機機器全体としては一段と省エネルギーを計ることができる。
【００３８】
なお上述の第１の実施の形態においては、電機機器のＡＣプラグ（図示せず）が商用電源（図示せず）から引き抜かれたとき、ＸコンデンサＣ５に蓄えられた電圧を放電させる経路に切り換えるスイッチング素子としてＦＥＴ５及び６を用いる場合について述べたが、本発明はこれに限らず、図１との対応部分に同一符号を付して示す図３において、スイッチング素子として一つのＦＥＴ２２を用い、ブリッジダイオードＤ２３ａ、Ｄ２３ｂ、Ｄ２３ｃ及びＤ２３ｄを併用するようにしても良い。この場合、ブリッジダイオードＤ２３ａ、Ｄ２３ｂ、Ｄ２３ｃ及びＤ２３ｄは、ＦＥＴ２２に併用して設けらることにより、ＸコンデンサＣ５に蓄えられた電荷が正負どちらであっても放電可能となる。
【００３９】
このようにすれば、ユーザが電機機器のＡＣプラグ（図示せず）を商用電源（図示せず）から引き抜いたとき、制御回路５０においては、コンデンサＣ３、コンデンサＣ４、抵抗Ｒ４６、Ｒ４７及び抵抗Ｒ４８とからなる構成により、トランジスタＱ１をオフ動作し、これによりＦＥＴ２２をオン動作させる。これにより電源回路１００は放電経路を構成し、ＸコンデンサＣ５に残された電荷をブリッジダイオードＤ２３ａ、Ｄ２３ｂ、Ｄ２３ｃ、Ｄ２３ｄ及び放電抵抗Ｒ５を介してすみやかに放電させることができ、上述した第１の実施の形態と同様の効果を得ることができる。
【００４０】
また上述の実施の形態においては、電機機器のＡＣプラグ（図示せず）が商用電源（図示せず）から引き抜かれたとき、ＸコンデンサＣ５に蓄えられた電圧を放電させる経路に切り換えるスイッチング素子としてＦＥＴ５及び６を用いる場合について述べたが、本発明はこれに限らず、スイッチング素子であるＦＥＴ５及び６に換えて、図１との対応部分に同一符号を付して示す図４のように、スイッチング素子としてＩＧＢＴ(Insulated Gate Bipolar Transistor) ３０及び３１を直列に設けるようにしても良い。
【００４１】
この場合、ユーザが電機機器のＡＣプラグ（図示せず）を商用電源（図示せず）から引き抜いたとき、制御回路５０においては、コンデンサＣ３に充電された電荷が放電することによりトランジスタＱ１をオフ動作し、これによりＩＧＢＴ３０及び３１をオン動作させる。これにより電源回路１００は放電経路を構成し、ＸコンデンサＣ５に残された電荷を放電抵抗Ｒ５を介してすみやかに放電させることができ、上述した第１の実施の形態と同様の効果を得ることができる。
【００４２】
また上述の実施の形態においては、電機機器のＡＣプラグ（図示せず）が商用電源（図示せず）から引き抜かれたとき、ＸコンデンサＣ５に蓄えられた電圧を放電させる経路に切り換えるスイッチング素子としてＦＥＴ５及び６を用いる場合について述べたが、本発明はこれに限らず、図１との対応部分に同一符号を付して示す図５において、スイッチング素子として一つのＩＧＢＴ３２を用い、ブリッジダイオードＤ３３ａ、Ｄ３３ｂ、Ｄ３３ｃ及びＤ３３ｄを併用するようにしても良い。この場合、ブリッジダイオードＤ３３ａ、Ｄ３３ｂ、Ｄ３３ｃ及びＤ３３ｄは、ＩＧＢＴ３２に併用して設けらることにより、ＸコンデンサＣ５に蓄えられた電圧が正負どちらであっても放電可能となる。
【００４３】
このようにすれば、ユーザが電機機器のＡＣプラグ（図示せず）を商用電源（図示せず）から引き抜いたとき、制御回路５０においては、ＩＧＢＴ３２がオン動作することにより、電源装置１００は放電経路を構成し、ＸコンデンサＣ５に残された電圧をブリッジダイオードＤ３３ａ、Ｄ３３ｂ、Ｄ３３ｃ、Ｄ３３ｄ及び放電抵抗Ｒ５を介してすみやかに放電させることができ、上述した第１の実施の形態と同様の効果を得ることができる。
【００４４】
また上述の実施の形態においては、電機機器のＡＣプラグ（図示せず）が商用電源（図示せず）から引き抜かれたとき、ＸコンデンサＣ５に蓄えられた電圧を放電させる経路に切り換えるスイッチング素子としてＦＥＴ５及び６を用いる場合について述べたが、本発明はこれに限らず、スイッチング素子であるＦＥＴ５及び６に換えて、図１との対応部分に同一符号を付して示す図６のように、スイッチング素子をデプレッション型ＦＥＴ３６及び３７を使用するようにしても良い。
【００４５】
この場合、デプレッション型ＦＥＴ３６及び３７は、ゲート−ソース間の電圧がゼロ時にコレクタ−ソース間に電流を流すことにより、制御回路５０は、デプレッション型ＦＥＴ３６及び３７のゲート電圧を負とする（ダイオードＤ４０及び４１等）ことによりオフ動作する。従って、ユーザが電機機器のＡＣプラグ（図示せず）を商用電源（図示せず）から引き抜いたとき、制御回路５０においては、コンデンサＣ３９に蓄積された電荷が抵抗Ｒ３８で放電することにより、ＦＥＴ３６及び３７をオン動作させることにより、電源回路１００は放電経路を構成し、これにより放電抵抗Ｒ５を介してすみやかに放電させることができ、上述した第１の実施の形態と同様の効果を得ることができる。
【００４６】
さらに上述の実施の形態においては、電機機器のＡＣプラグ（図示せず）が商用電源（図示せず）から引き抜かれたとき、ＸコンデンサＣ５に蓄えられた電圧を放電させる経路に切り換えるスイッチング素子としてＦＥＴ５及び６を用いる場合について述べたが、本発明はこれに限らず、図６との対応部分に同一符号を付して示す図７において、スイッチング素子をデプレッション型ＦＥＴ４３の１つとし、ブリッジダイオードＤ４４ａ、Ｄ４４ｂ、Ｄ４４ｃ及びＤ４４ｄを併用するようにしても良い。
【００４７】
この場合、ブリッジダイオードＤ４４ａ、Ｄ４４ｂ、Ｄ４４ｃ及びＤ４４ｄは、デプレッション型ＦＥＴ４３に併用して設けらることにより、ＸコンデンサＣ５に蓄えられた電圧が正負どちらであっても放電可能となる。このようにすれば、ユーザが電機機器のＡＣプラグ（図示せず）を商用電源（図示せず）から引き抜いたとき、制御回路５０においては、コンデンサＣ３９に蓄積された電荷が抵抗Ｒ３８で放電することにより、ＦＥＴ４３をオン動作させることにより、電源回路１００は放電経路を構成し、ＸコンデンサＣ５に残された電圧をブリッジダイオードＤ４４ａ、Ｄ４４ｂ、Ｄ４４ｃ、Ｄ４４ｄ及び放電抵抗Ｒ５を介してすみやかに放電させることができ、上述した第１の実施の形態と同様の効果を得ることができる。
【００４８】
（２）第２の実施の形態
図８において、２００はリモートコントローラからの制御信号を待機するようになされた電機機器の内部構成を示し、ユーザが電機機器のＡＣプラグ８０を商用電源（図示せず）に差し込むと、当該商用電源から供給される交流電圧は、電源部１５０及び主電源スイッチ７０に供給される。
【００４９】
電機機器２００は、ＡＣプラグ８０が商用電源（図示せず）に差し込まれてから受光部６０がリモートコントローラ（図示せず）から電機機器の主電源を入れる所定の入力操作により得られる制御信号を受光するまでの間、主電源スイッチ７０を介して商用電源（図示せず）から供給される交流電圧を本体９０に供給しない待機動作状態となる。また電機機器２００は、受光部６０が制御信号を受光すると、待機動作状態から主電源投入状態に移行し、主電源スイッチ７０に供給される交流電圧を本体９０に供給することにより、本体は、電機機器本来の機能を有する種々の動作を実行するようになされている。
【００５０】
電機機器２００の待機動作状態において、電源部１５０は商用電源（図示せず）から供給される交流電圧を引き下げると共にこれを直流電圧に変換し、常時受光部６０に出力する。受光部６０は、電源部１５０から供給される直流電圧を待機電源として常時動作するようになされており、これによりリモートコントローラ（図示せず）から供給される制御信号を常時待ち受ける。
【００５１】
すなわち、電源部１５０は、図１との対応部分に同一符号を付して示す図９において、電源トランスＴｒの一次側をＦＥＴ５及び６にてオン−オフする省エネルギー型の低電力電源回路（ダイオードＤ２、コンデンサＣ３、抵抗Ｒ３、Ｒ４及びトランジスタＱ１以外の各回路素子である）にＸコンデンサの放電回路を組み込んでおり、ユーザが電機機器のＡＣプラグ８０（図８）を商用電源（図示せず）に差し込むと、当該商用電源から供給される交流電圧は、電源トランスＴｒの制御回路５０（一次側回路）内に供給される。
【００５２】
この場合、制御回路５０は、商用電源（図示せず）から入力端１及び２を介して交流電圧が供給されると、コンデンサＣ１及びＣ２の充放電電流により、コンデンサＣ３及びＣ４に接続点８及び９側をプラスとなるように電荷をそれぞれ充電するようになされており、コンデンサＣ３に充電されることにより与えられるコンデンサＣ３の電圧は、分圧抵抗Ｒ３及びＲ４によって分圧されてトランジスタＱ１のベースに供給される。これによりトランジスタＱ１はオン動作する。
【００５３】
因みにコンデンサＣ３、抵抗Ｒ３及び抵抗Ｒ４の時定数において、商用電源（図示せず）から交流電圧が供給されているときには、当該交流電圧によってトランジスタＱ１を常時オン状態にし得るようになされていることにより、トランジスタＱ１はオン動作を維持する。
【００５４】
またコンデンサＣ４に残された電荷によりコンデンサＣ４に与えられえる電圧（コンデンサ電圧）は、制御回路５０と２次側の回路（図示せず）とを絶縁するフォトカプラＰＨのオン−オフ動作に応じてＦＥＴ５及び６を当該フォトカプラＰＨのオン−オフ動作と反対にオン−オフ動作させるようになされている。
【００５５】
このように制御回路５０は、商用電源（図示せず）から交流電圧が供給されると、トランジスタＱ１がオン状態に維持されるように制御しており、これにより入力端１及び２を介して供給される交流電圧は、商用電源（図示せず）に対して並列に接続されているＸコンデンサＣ５に直接加えられる。さらに制御回路５０は、ＦＥＴ５及び６がオン状態にであるとき、入力端１及び２を介して供給される交流電圧は、電源トランスＴｒの一次巻線２１にも直接加えられる。
【００５６】
従って、ＸコンデンサＣ５は、入力端１及び２を介して供給される交流電圧を出力端３及び４を介して主電源スイッチ７０（図８）に出力する。
【００５７】
また電源トランスＴｒは、入力端１及び２を介して供給される交流電圧によって励磁し、その結果２次側の回路（図示せず）を動作させる。これにより２次側の回路（図示せず）は、入力端１及び２を介して供給される交流電圧を引き下げると共にこれを直流電圧に変換し、受光部６０（図８）に出力する。このとき２次側の回路（図示せず）は、変換した直流電圧を所定のコンデンサに蓄える。
【００５８】
また２次側の回路（図示せず）は、所定のコンデンサに蓄えた電圧レベルに応じてフォトカプラＰＨをオン−オフ動作させるようになされており、当該コンデンサ電圧が所定の電圧レベル越えると、２次側の回路（図示せず）は、フォトカプラＰＨをオン動作させる。
【００５９】
これにより制御回路５０おいて、ＦＥＴ５及び６はオフ動作し、これにより電源トランスＴｒにおいては、一次側に直接加えられていた交流電圧が加えられなくなる。この場合２次側の回路（図示せず）は、所定のコンデンサに蓄えた直流電圧により動作し、当該直流電圧を受光部６０（図８）に供給する。
【００６０】
また２次側の回路（図示せず）は、所定のコンデンサに蓄えていた直流電圧（内部電圧）が所定の電圧レベルよりも下降すると、再びフォトカプラＰＨをオフ動作させ、これにより電源トランスＴｒを介して供給される交流電圧を引き下げると共にこれを直流電圧に変換して受光部６０（図８）に供給すると同時に、所定のコンデンサに蓄える。
【００６１】
このようにして受光部６０は、電源部１５０から常時供給される直流電圧を待機電源として常時動作するようになされており、電機機器２００は待機動作状態を維持するようになされている。
【００６２】
ここで、ユーザが電機機器のＡＣプラグ８０（図８）を商用電源（図示せず）から引き抜くと、ＸコンデンサＣ５には当該ＡＣプラグ８０が引き抜かれる直前に蓄えられた電圧が残されており、制御回路５０は、この電圧をすみやかに放電させるようになされている。
【００６３】
すなわち、ＦＥＴ５及び６がオン状態のときにＡＣプラグ８０が商用電源（図示せず）（図８）から引き抜かれた場合の電源部１５０において、制御回路５０は、コンデンサＣ４にもＡＣプラグ８０が商用電源（図示せず）から引き抜かれる直前に充電された電荷が残されており、当該電荷が抵抗Ｒ２を介してＦＥＴ５及び６それぞれのゲートに供給され、ＦＥＴ５及び６のオン状態を維持する。
【００６４】
従ってこのときの電源部１５０は、ＸコンデンサＣ５に蓄えられた電圧を電源トランスＴｒの一次巻線２１を介して放電する放電経路を構成し、当該電圧を放電する。従って電源部１５０における入力端１と入力端２との間の電位差は無くなり、これにより電源部１５０は、ユーザが例えばＡＣプラグ８０に触れることによる感電を回避し得る。
【００６５】
これに対して、フォトカプラＰＨがオン動作状態によりＦＥＴ５及び６がオフ状態のときにＡＣプラグ８０（図８）が商用電源（図示せず）から引き抜かれた場合の電源部１５０において、制御回路５０は、コンデンサＣ３、抵抗Ｒ３及びＲ４の時定数がコンデンサＣ４及び抵抗Ｒ２の時定数よりも小さくなるようになされていることにより、コンデンサＣ３に充電された電荷がコンデンサＣ４に充電された電荷よりも早く放電し得るようになされている。
【００６６】
従って、制御回路５０は、コンデンサＣ３に充電された電荷が抵抗Ｒ３を介したトランジスタＱ１のベース電流、及び抵抗Ｒ３及び抵抗Ｒ４を介して放電することにより、トランジスタＱ１がオフ状態となった場合においても、コンデンサＣ４に充電された電荷が残されている状態となる。
【００６７】
この場合、制御回路５０は、フォトカプラＰＨのオン−オフ動作状態とは無関係にトランジスタＱ１がオン動作することにより、トランジスタＱ１のコレクタ電圧はコンデンサＣ４の電圧となり、これによりＦＥＴ５及び６がオン動作される。
【００６８】
これにより電源部１５０は、ＸコンデンサＣ５に蓄えられた電圧を放電経路を介して放電する。従って電源部１５０における入力端１と入力端２との間の電位差は無くなり、これにより電源部１５０は、ユーザが例えばＡＣプラグ８０に触れることによる感電を回避し得る。
【００６９】
因みに図１０は、ＸコンデンサＣ５の放電の様子を実働電圧で測定したものを示しており、ｔｉｍｅ０．０秒時が、ＡＣプラグ８０を引き抜かれ時である。図１０（Ａ）は、Ｒ＝∞、すなわち放電抵抗が無い場合を示しており、電圧は時間が経過しても下らない。また図１０（Ｂ）は、Ｒ＝１ＭΩ、すなわち現在一般的な電機機器に採用されている放電抵抗を設けた場合の放電の様子を示している。
【００７０】
さらに図１０（Ｃ）〜（Ｋ）は、電源部１５０におけるＸコンデンサＣ５を設けた場合の放電の様子を示しており、電圧はＡＣプラグ８０が引き抜かれ時から所定の期間維持されるが、当該期間を過ぎると、電源部１５０が放電経路を構成することにより急速に下る。また電源部１５０は、放電抵抗Ｒ５の代わりに一次巻線２１を使用していることにより、電圧は一次巻線２１のインダクタンスにより負方向まで下った後、階段状に上がり、やがてゼロ値になる。この場合、放電抵抗Ｒ５の代わりに用いた一次巻線２１の方が一般的な電機機器に採用されている放電抵抗よりも放電時間が速いことにより、一次巻線２１はＸコンデンサＣ５に蓄えられた電圧は、すみやかに放電することができる。
【００７１】
このように電源部１５０においては、電源トランスＴｒの一次側をＦＥＴ５及び６にてオン−オフする省エネルギー型の低電力電源回路にＸコンデンサＣ５の放電回路を組み込んでいることにより、当該低電力電源回路に対してダイオードＤ２、コンデンサＣ３、抵抗Ｒ３、Ｒ４及びトランジスタＱ１を追加するのみで、他の各素子を共有して扱うことができ、さらには放電抵抗を一次巻線２１の抵抗にて代用し得る。
【００７２】
以上の構成において、ＦＥＴ５及び６がオン状態のときに交流電圧が供給されなくなると、制御回路５０は、コンデンサＣ４に充電された電荷をＦＥＴ５及び６それぞれのゲート電圧として供給し、ＦＥＴ５及び６のオン状態は維持される。このときコンデンサＣ５に蓄えられた電圧は、一次巻線２１、ＦＥＴ５及び６を順次介して放電する。
【００７３】
これに対してＦＥＴ５及び６がオフ状態のときに交流電圧が供給されくなると、制御回路５０においては、コンデンサＣ３に充電された電荷がコンデンサＣ４に充電された電荷よりも早く放電し得るようになされており、これによりコンデンサＣ３に充電された電荷が全て放電してトランジスタＱ１がオフ状態となった場合においてもコンデンサＣ４に充電された電荷を残す。
【００７４】
この場合、制御回路５０においては、フォトカプラＰＨのオン−オフ動作状態とは無関係にトランジスタＱ１がオフ動作することにより、トランジスタＱ１のコレクタ電圧はコンデンサＣ４の電圧となり、これによりＦＥＴ５及び６がオン動作される。これによりコンデンサＣ５に蓄えられた電圧は、一次巻線２１、ＦＥＴ５及び６を順次介して放電する。
【００７５】
このように電源部１５０においては、ユーザが電機機器のＡＣプラグ（図示せず）を商用電源（図示せず）から引き抜いたとき、ＸコンデンサＣ５に残されている電荷を電源トランスＴｒの一次巻線２１に電流を流す放電経路に切り換える。これにより、電源部１５０においては、電源トランスＴｒの一次巻線２１を放電抵抗とした放電経路とすることにより、別途放電抵抗を設ける必要性はなくなる。
【００７６】
さらに電源部１５０においては、電源トランスＴｒの一次巻線２１に電流を流す放電経路に切り換えるスイッチング素子としてＦＥＴ５及び６を用いたことにより、スイッチングする動作電力を極めて小さくすることができる。
【００７７】
以上の構成によれば、放電経路を開閉するスイッチング素子としてのＦＥＴ５及び６を設け、ＡＣプラグ（図示せず）を商用電源（図示せず）から引き抜いた場合にのみ、制御回路５０がＦＥＴ５及び６をオン動作させるように制御して放電経路を構成させるようにしたことにより、放電抵抗を常時商用電源につないだままとする回路に比べ、電源部１５０の消費電力を低減させることができ、電機機器全体としては省エネルギーを計り得る。特にＡＣプラグ（図示せず）を商用電源に差し込んだ状態である期間が長い電機機器（リモートコントローラによりサブスイッチを動作させるための回路部を有する電機機器）に対しては電機機器全体としての省エネルギーを計り得る効果が大きい。
【００７８】
また、放電経路を開閉するスイッチング素子としてＦＥＴ５及び６としたことにより、スイッチングする動作電力を極めて小さくすることができ、かくして電機機器全体としては一段と省エネルギーを計ることができる。
【００７９】
さらに、電源部１５０においては、電源トランスＴｒの一次側をＦＥＴ５及び６にてオン−オフする省エネルギー型の低電力電源回路にＸコンデンサＣ５の放電回路を組み込んでいることにより、当該低電力電源回路に対してダイオードＤ２、コンデンサＣ３、抵抗Ｒ３、Ｒ４及びトランジスタＱ１を追加するのみで、他の各素子を共有して扱うことができ、さらには放電抵抗を一次巻線２１の抵抗にて代用し得る。
【００８０】
（３）他の実施の形態
なお上述の実施の形態においては、リモートコントローラによるサブスイッチを有する電機機器に電源回路１００又は電源部１５０を設ける場合について述べたが、本発明はこれに限らず、例えば電話機及びパーソナルコンピュータ等、サブスイッチ以外の待機機能を有する電気機器、あるいはＡＣアダプタにより駆動電力を得る電気機器など、要は、電気的なスイッチ回路を有する装置に本発明による電源回路を広く適用することができる。
【００８１】
【発明の効果】
上述のように本発明によれば、交流電源ライン間に接続されるコンデンサと、当該交流電源ラインに対して並列に設けられるトランスの一次側と二次側とを絶縁するフォトカプラと、トランスの一次巻線と交流電源ラインとの間に設けられ、フォトカプラの動作状態に応じて開閉するスイッチング素子と、トランスの二次巻線を介して蓄積される電圧レベルが閾値を越える場合にはフォトカプラを介してスイッチング素子を開状態にさせ、閾値を下回る場合にはフォトカプラを介してスイッチング素子を閉状態にさせる２次側回路と、トランスの一次側に設けられ、交流電源ラインに対する交流電圧の供給が遮断された場合、フォトカプラの動作状態とは無関係にスイッチング素子を閉状態にさせる制御回路とをもつ電源回路とした。
これによりこの電源回路では、交流電源ラインに対する交流電圧の供給が遮断された場合、制御回路によってトランスの一次巻線が放電抵抗とされ、該一次巻線を介して、交流電源ライン間に接続されるコンデンサの蓄積電荷が放電され、この結果、一般的な電気機器に採用される放電抵抗を別途も受けることなく速やかに放電させることができる。
【図面の簡単な説明】
【図１】本発明による電源回路の第１の実施の形態を示す回路図である。
【図２】商用電源から供給される交流電圧を示す略線図である。
【図３】他の実施の形態における電源回路を示す回路図である。
【図４】他の実施の形態における電源回路を示す回路図である。
【図５】他の実施の形態における電源回路を示す回路図である。
【図６】他の実施の形態における電源回路を示す回路図である。
【図７】他の実施の形態における電源回路を示す回路図である。
【図８】第２の実施の形態における電機機器の内部構成を示すブロック図である。
【図９】本発明による電源回路の第２の実施の形態を示す回路図である。
【図１０】アクロス・ザ・ライン・コンデンサに蓄えられた電荷の放電の様子を示す略線図である。
【符号の説明】
Ｃ１、Ｃ２、Ｃ３、Ｃ４……コンデンサ、Ｑ１……トランジスタ、Ｒ５……放電抵抗、２１……一次巻線、Ｃ５……アクロス・ザ・ライン・コンデンサ、Ｄ２３ａ、Ｄ２３ｂ、Ｄ２３ｃ、Ｄ２３ｄ、Ｄ３３ａ、Ｄ３３ｂ、Ｄ３３ｃ、Ｄ３３ｄ、Ｄ４４ａ、Ｄ４４ｂ、Ｄ４４ｃ、Ｄ４４ｄ……ブリッジダイオード、Ｔｒ……電源トランス、５、６、２２……電界効果型トランジスタ、３０、３１、３２……ＩＧＢＴ、３６、３７、４３……ディプレッション型電界効果トランジスタ、５０……制御回路、１００……電源回路、１５０……電源部。
【図１】
0004446136.tif 000002
【図２】
0004446136.tif 000003
【図３】
0004446136.tif 000004
【図４】
0004446136.tif 000005
【図５】
0004446136.tif 000006
【図６】
0004446136.tif 000007
【図７】
0004446136.tif 000008
【図８】
0004446136.tif 000009
【図９】
0004446136.tif 000010
【図１０】
0004446136.tif 000011